(57)【特許請求の範囲】
【請求項１】
ホルダーと錘部材とを有し、前記ホルダーはゴム材から成って細長い形状を有し、一端に釣り糸を留める糸留部を有し、前記錘部材の少なくとも一部を収納する収納室を有し、伸縮性を有して前記錘部材を着脱可能に保持し、前記収納室に連通して常態では前記錘部材が抜け落ちない大きさで、伸張したとき前記錘部材を前記収納室から排出可能な開口を反対端に有することを特徴とする釣り用錘。
【請求項２】
ホルダーと錘部材とを有し、前記ホルダーはゴム材から成って細長い形状を有し、一端に釣り糸を留める糸留部を有し、前記錘部材の少なくとも一部を収納する収納室を有し、伸縮性を有して前記錘部材を着脱可能に保持し、前記ホルダーの側部に長さ方向に伸びて前記収納室に連通し、常態では前記錘部材が抜け落ちない大きさおよび幅で、伸張したとき前記錘部材を前記収納室から排出可能な溝孔を有することを特徴とする釣り用錘。
【請求項３】
前記錘部材は複数の球体から成ることを、特徴とする請求項１または２記載の釣り用錘。
【発明の詳細な説明】
【技術分野】
【０００１】
本発明は、釣り用錘に関する。
【背景技術】
【０００２】
従来の一般的な釣り用錘は、鉛製である（例えば、特許文献１参照）。また、従来の一般的な釣り用錘は、海釣りのとき錘が岩場等に挟まると、硬く噛み込んで固着し、抜けなくなる。このような根掛かりを起こしたときには、道糸や仕掛け糸を切断して対処する必要があり、錘や仕掛けが海底に残されることになる。
【０００３】
【特許文献１】特開２００２−１３６２５２号公報
【発明の開示】
【発明が解決しようとする課題】
【０００４】
従来の一般的な鉛製の釣り用錘は、根掛かりを起こしやすいという課題があった。また、根掛かりを起こして海底に残されると、長年に渡り錘から鉛毒が溶出するため、周辺の魚類や餌料生物等のあらゆる生物に悪影響を与えるという課題があった。
【０００５】
なお、根掛かりを起こして仕掛けが海底に残されると、餌付釣り針に魚が掛かり、その魚は自由を奪われるためやがて死に至る。このように、海底に残された鉛製の錘や仕掛けにより、その周辺の環境が破壊され、再生できなくなる、いわゆる「死のエリア」になってしまう。このため、遊漁者に限らず漁業者も、漁場の持続的な環境保全を願っており、根掛かりを起こしにくく、海の生態系に優しい釣り用錘が望まれていた。
【０００６】
本発明は、このような課題に着目してなされたもので、根掛かりを起こしにくく、海底に残されても、周辺の生物への悪影響を防ぐことができる釣り用錘を提供することを目的としている。
【課題を解決するための手段】
【０００７】
上記目的を達成するために、本発明に係る釣り用錘は、ホルダーと錘部材とを有し、前記ホルダーはゴム材から成って細長い形状を有し、一端に釣り糸を留める糸留部を有し、前記錘部材の少なくとも一部を収納する収納室を有し、伸縮性を有して前記錘部材を着脱可能に保持し、前記収納室に連通して常態では前記錘部材が抜け落ちない大きさで、伸張したとき前記錘部材を前記収納室から排出可能な開口を反対端に有することを特徴とする。
他の本発明に係る釣り用錘は、ホルダーと錘部材とを有し、前記ホルダーはゴム材から成って細長い形状を有し、一端に釣り糸を留める糸留部を有し、前記錘部材の少なくとも一部を収納する収納室を有し、伸縮性を有して前記錘部材を着脱可能に保持し、前記ホルダーの側部に長さ方向に伸びて前記収納室に連通し、常態では前記錘部材が抜け落ちない大きさおよび幅で、伸張したとき前記錘部材を前記収納室から排出可能な溝孔を有することを特徴とする。
前記錘部材は複数の球体から成っていてもよい。
本発明に係る釣り用錘は、例えば、錘部材とホルダーとを有し、前記錘部材は鉄または石から成り、前記ホルダーは弾力性を有するゴム製で、前記錘部材を収納した収納室と、釣り糸を留める糸留部とを有する。
【０００８】
本発明に係る釣り用錘は、釣り糸を糸留部に留めて使用される。錘部材は、伸縮性のホルダーで締め付けられることにより着脱可能に保持されていても、ホルダーの内部に収納されることにより着脱可能に保持されていてもよい。本発明に係る釣り用錘は、海釣りのとき岩場やテトラポット等に噛み込んだ際、釣り糸を真っ直ぐや斜めに引くことにより、伸縮性のホルダーが伸びて細くなるため、岩場等から抜けやすくなる。このように、本発明に係る釣り用錘は、根掛かりを起こしにくい。錘部材が鉄から成る場合、海底に取り残されても、毒などの有害物質が溶出せず、その周辺の生物への悪影響を防ぐことができる。
【０００９】
錘部材は、使い捨てにするため単純形状であることが好ましく、例えば、入手が容易な異型棒鋼、熱間加工丸鋼、鋳造鋼、鉄球、天然石等から成ることが好ましい。この場合、鉛より安価に入手可能であるため、製造コストを低減することができる。また、錘部材が天然石から成る場合、河原などで小石を拾って錘部材に利用してもよい。ホルダーは、紫外線や水による劣化に強いシリコンゴム製または天然ゴム製であることが好ましい。また、ホルダーは、集魚効果が高い色彩から成ることが好ましい。
【００１０】
本発明に係る釣り用錘において、前記ホルダーは前記収納室に対して前記錘部材を出し入れするための開口を有し、自身の弾力性により前記錘部材を前記収納室に保持するよう設けられ、前記弾性力に抗する力を受けたとき前記錘部材を前記開口から前記収納室の外部に排出可能に構成されていることが好ましい。
この場合、岩場等に噛み込んだ際、釣り糸を真っ直ぐや斜めに引くことにより、ゴム製のホルダーに対して、自身の弾性力に抗する力を作用させることができる。ホルダーが自身の弾性力に抗する力を受けることにより、錘部材を開口から収納室の外部の水中に排出することができる。これにより、ホルダーや仕掛けを回収することができ、さらに根掛かりを起こしにくくすることができる。なお、水中に排出された錘部材が鉄製の場合、毒などの有害物質が溶出せず、その周辺の生物への悪影響を防ぐことができる。開口は、糸留部で吊り下げたとき、ホルダーの下部に設けられていてもよく、ホルダーの側部に設けられていてもよい。また、ホルダーは、自身の弾性力に抗する力を受けたとき錘部材を開口から収納室の外部に排出可能であれば、開口が開いていてもよく、自身の弾性力により開口が塞がれてもよい。
【００１１】
本発明に係る釣り用錘において、前記錘部材は複数の球体から成り、前記開口は前記ホルダーの外部から前記収納室に達する溝孔から成り、前記ホルダーは各球体で前記開口を押し広げることにより前記収納室に対して各球体を出し入れ可能に構成されていてもよい。
この場合、岩場やテトラポット等に噛み込んだ際、釣り糸を真っ直ぐや斜めに引くことにより、ゴム製のホルダーが伸びたり、収納室の内部の球体が押されたりする。これにより、開口を閉じようとするホルダーの弾性力に抗して、球体が開口を押し広げ、収納室から排出される。これにより、ホルダーや仕掛けを回収することができ、根掛かりを起こしにくくすることができる。錘部材の各球体として、鉄製のパチンコ玉を利用することができ、より安価に製造することができる。
【発明の効果】
【００１２】
本発明によれば、根掛かりを起こしにくく、海底に残されても、周辺の生物への悪影響を防ぐことができる釣り用錘を提供することができる。
【発明を実施するための最良の形態】
【００１３】
以下、図面に基づき本発明の実施の形態について説明する。
図１は、本発明の第１の実施の形態の釣り用錘を示している。
図１に示すように、釣り用錘１０は、錘部材１１とホルダー１２とを有している。
錘部材１１は、鉄製で、丸鋼を所定の長さに切断して形成され、円柱形状を成している。
【００１４】
図１（ａ）に示すように、ホルダー１２は、伸縮性・弾力性を有するシリコンゴム製で、錘部材１１を収納する収納室２１と、収納室２１に対して錘部材１１を出し入れするための開口２２とを有し、細長い形状を有している。収納室２１は、開口２２から奥に向かって細長く伸びた、円柱形状の空間から成っている。収納室２１は、錘部材１１の径より小さい内径を有し、錘部材１１の長さより短い奥行きを有している。開口２２は、錘部材１１の径より小さい内径を有している。
【００１５】
ホルダー１２は、錘部材１１の一方の端部から中央部を収納室２１に収納し、錘部材１１の他方の端部を開口２２から外部に突出した状態で、錘部材１１を着脱可能に保持するようになっている。開口２２は、常態では錘部材１１が抜け落ちない大きさであるが、伸張したとき錘部材１１を収納室２１から排出可能である。ホルダー１２は、自身の弾性力により錘部材１１を締め付けるようにして収納室２１に保持するようになっている。また、ホルダー１２は、錘部材１１を引っ張ったり開口２２を拡げたりするような、自身の弾性力に抗する力を受けたとき、錘部材１１を開口２２から収納室２１の外部に排出可能になっている。
【００１６】
ホルダー１２は、開口２２の反対端に、釣り糸１を留める糸留部２３を有している。また、ホルダー１２は、外側面に、糸留部２３から開口２２にかけて伸びた複数（一例で４つ）の突条２４を有している。各突条２４は、外側に向かって盛り上がるよう形成されている。なお、ホルダー１２は、集魚効果を高めるために、蛍光剤を混ぜたシリコンゴム製から成っていてもよい。ホルダー１２は、複雑な形状の製造に適した注型法により製造されることが好ましい。
【００１７】
次に、作用について説明する。
釣り用錘１０は、釣り糸１を糸留部２３に留めて使用される。釣り用錘１０は、ホルダー１２の各突条２４が盛り上がっているため、図１（ａ）に示すように、海釣りのとき岩場２に噛み込むとすると、各突条２４で岩場２に噛み込む。このとき、各突条２４が弾力性を有するゴム製であるため、岩場２にゆるやかに噛み込んだ状態になる。この状態で、釣り糸１を真っ直ぐや斜めに引くことにより、ゴム製のホルダー１２が伸びて各突条２４が細くなるため、岩場２との間に隙間が生じて岩場２から抜けやすくなる。
【００１８】
また、図１（ｂ）に示すように、錘部材１１が岩場２に噛み込んでも、釣り糸１を真っ直ぐや斜めに引くことにより、ゴム製のホルダー１２に対して、錘部材１１を引っ張ったり開口２２を拡げたりするような、自身の弾性力に抗する力を作用させることができる。ホルダー１２が自身の弾性力に抗する力を受けることにより、錘部材１１を開口２２から収納室２１の外部の水中に排出することができる。これにより、ホルダー１２や仕掛けを回収することができ、根掛かりを起こしにくくすることができる。
【００１９】
なお、水中に排出された錘部材１１は鉄製であるため、毒などの有害物質が溶出せず、その周辺の生物への悪影響を防ぐことができる。また、予備の錘部材をあらかじめ準備しておくことにより、錘部材１１が外れても、予備の錘部材をホルダー１２に取り付けて再び釣りを楽しむことができる。
【００２０】
釣り用錘１０は、錘部材１１が、入手が容易な丸鋼から成り、鉛より安価に入手可能であるため、鉛製の錘を使用する場合に比べて、製造コストを低減することができる。また、ホルダー１２がシリコンゴム製であり、紫外線や水による劣化に強く、寿命が長い。
【００２１】
図２および図３は、本発明の第２の実施の形態の釣り用錘を示している。
図２に示すように、釣り用錘３０は、錘部材３１とホルダー３２とを有している。
錘部材３１は、鉄製で、丸鋼を所定の長さに切断して形成され、円柱形状を成している。
【００２２】
図２（ａ）および（ｂ）に示すように、ホルダー３２は、伸縮性・弾力性を有するシリコンゴム製で、錘部材３１を収納する収納室４１と、収納室４１に対して錘部材３１を出し入れするための複数（一例で４つ）の開口４２とを有し、細長い形状を有している。収納室４１は、細長い円柱形状の空間から成り、錘部材３１の径と同じ内径を有し、錘部材３１の長さと同じ長さを有している。各開口４２は、ホルダー３２の側部に長さ方向に伸びて常態では錘部材３１が抜け落ちない幅で、伸張したとき錘部材３１を収納室４１から排出可能な溝孔から成る。各開口４２は、収納室４１の側面を貫通して、周方向に沿って並ぶよう設けられている。各開口４２は、収納室４１の長さ方向に沿った長軸を有する楕円形状に形成されている。各開口４２は、収納室４１に収納された錘部材３１が脱落しないよう、長軸が錘部材３１の長さより短く、短軸が錘部材３１の径より短くなるよう形成されている。
【００２３】
ホルダー３２は、一つの開口４２を拡げて、その開口４２から錘部材３１を収納室４１に挿入して、着脱可能に収納し保持するようになっている。ホルダー３２は、自身の弾性力により各開口４２を初期の大きさに維持することにより、錘部材３１を収納室４１に保持するようになっている。また、ホルダー３２は、開口４２を拡げるような、弾性力に抗する力を受けたとき、錘部材３１を開口４２から収納室４１の外部に排出可能になっている。
【００２４】
ホルダー３２は、収納室４１の長さ方向に沿った一方の端部に、釣り糸１を留める糸留部４３を有している。また、ホルダー３２は、外側面に、糸留部４３から各開口４２の間を通って他方の端部にかけて伸びた複数（一例で４つ）の突条４４を有している。各突条４４は、外側に向かって盛り上がるよう形成されている。なお、ホルダー３２は、複雑な形状の製造に適した注型法により製造されることが好ましい。
【００２５】
次に、作用について説明する。
釣り用錘３０は、釣り糸１を糸留部４３に留めて使用される。釣り用錘３０は、ホルダー３２の各突条４４が盛り上がっているため、図２（ｃ）に示すように、海釣りのとき岩場２に噛み込むとすると、各突条４４で岩場２に噛み込む。このとき、各突条４４が弾力性を有するゴム製であるため、岩場２にゆるやかに噛み込んだ状態になる。この状態で、図２（ｂ）に示すように、釣り糸１を真っ直ぐや斜めに引くことにより、ゴム製のホルダー３２が伸びて各突条４４が細くなるため、図２（ｄ）に示すように、岩場２との間に隙間が生じて岩場２から抜けやすくなる。
【００２６】
また、図３に示すように、斜めの状態で岩場２に噛み込んでも、釣り糸１を斜めに引くことにより、ゴム製のホルダー３２に対して、開口４２を拡げるような、自身の弾性力に抗する力を作用させることができる。ホルダー３２が自身の弾性力に抗する力を受けることにより、開口４２が拡がって錘部材３１を開口４２から収納室４１の外部の水中に排出することができる。これにより、ホルダー３２や仕掛けを回収することができ、根掛かりを起こしにくくすることができる。
【００２７】
なお、水中に排出された錘部材３１は鉄製であるため、毒などの有害物質が溶出せず、その周辺の生物への悪影響を防ぐことができる。また、予備の錘部材をあらかじめ準備しておくことにより、錘部材３１が外れても、予備の錘部材をホルダー３２に取り付けて再び釣りを楽しむことができる。
【００２８】
釣り用錘３０は、錘部材３１が、入手が容易な丸鋼から成り、鉛より安価に入手可能であるため、鉛製の錘を使用する場合に比べて、製造コストを低減することができる。また、ホルダー３２がシリコンゴム製であり、紫外線や水による劣化に強く、寿命が長い。
【００２９】
図４は、本発明の第３の実施の形態の釣り用錘を示している。
図４に示すように、釣り用錘５０は、錘部材５１とホルダー５２とを有している。
錘部材５１は、鉄製の複数（一例で４つ）の球体６１から成っている。
【００３０】
図４（ａ）に示すように、ホルダー５２は、伸縮性・弾力性を有するシリコンゴム製で、各球体６１を収納する収納室（図示せず）と、収納室に対して各球体６１を出し入れするための複数（一例で２つ）の開口６２とを有し、細長い形状を有している。収納室は、細長い円柱形状の空間から成り、各球体６１の径と同じ内径を有し、各球体６１の径の４倍の長さを有している。各開口６２は、ホルダー５２の両端部にそれぞれ設けられ、ホルダー５２の外部からそれぞれ収納室の両端部に達する溝孔から成っている。開口６２は、ホルダー５２の側部に長さ方向に伸び、常態では球体６１が抜け落ちない幅で、伸張したとき球体６１を収納室から排出可能である。各開口６２は、常態で各球体６１の径と同じ長さを有している。
【００３１】
ホルダー５２は、各球体６１で開口６２を押し広げることにより、収納室に対して各球体６１を出し入れ可能に構成されている。ホルダー５２は、自身の弾性力により各開口６２を塞ぐことにより、各球体６１を収納室に直列に収納し保持するようになっている。また、ホルダー５２は、各球体６１で開口６２を拡げるような、弾性力に抗する力を受けたとき、各球体６１を開口６２から収納室の外部に排出可能になっている。
【００３２】
ホルダー５２は、収納室の長さ方向に沿った両端に、それぞれ釣り糸１および仕掛け３を留めるための１対の糸留部６３を有している。ホルダー５２は、各球体６１の重さで伸びないよう、収納室の内部を通って各糸留部６３に連結されたワイヤー６４を有している。なお、ホルダー５２は、複雑な形状の製造に適した注型法により製造されることが好ましい。
【００３３】
次に、作用について説明する。
図４（ａ）に示すように、釣り用錘５０は、一方の糸留部６３に釣り竿に伸びる釣り糸１を留め、他方の糸留部６３に仕掛け３を留めて使用される。図４（ｂ）に示すように、釣り用錘５０は、海釣りのとき岩場２に噛み込んだ際、釣り糸１を真っ直ぐや斜めに引くことにより、ゴム製のホルダー５２が伸びたり、収納室の内部の球体６１が押されたりする。これにより、開口６２を閉じようとするホルダー５２の弾性力に抗して、球体６１が開口６２を押し広げ、収納室から排出される。これにより、ホルダー５２や仕掛け３を回収することができ、根掛かりを起こしにくくすることができる。
【００３４】
なお、水中に排出された球体６１は鉄製であるため、毒などの有害物質が溶出せず、その周辺の生物への悪影響を防ぐことができる。また、予備の球体６１をあらかじめ準備しておくことにより、球体６１が外れても、予備の球体６１をホルダー５２に収納して再び釣りを楽しむことができる。
【００３５】
釣り用錘５０は、各球体６１としてパチンコ玉を利用することにより、鉛より安価に入手でき、鉛製の錘を使用する場合に比べて、製造コストを低減することができる。また、ホルダー５２がシリコンゴム製であり、紫外線や水による劣化に強く、寿命が長い。
【図面の簡単な説明】
【００３６】
【図１】本発明の第１の実施の形態の釣り用錘の（ａ）岩場等に噛み込んだ使用状態を示す斜視図、（ｂ）釣り糸を引いた使用状態を示す斜視図である。
【図２】本発明の第２の実施の形態の釣り用錘の（ａ）正面図、（ｂ）釣り糸を引いて伸びたときの正面図、（ｃ）岩場等に噛み込んだ使用状態を示す底面図、（ｄ）釣り糸を引いた使用状態を示す底面図である。
【図３】図２に示す釣り用錘の、岩場等に斜めの状態で噛み込んだ使用状態を示す斜視図である。
【図４】本発明の第３の実施の形態の釣り用錘の（ａ）正面図、（ｂ）岩場等に噛み込んだ使用状態を示す斜視図である。
【符号の説明】
【００３７】
１    釣り糸
２    岩場
１０  釣り用錘
１１  錘部材
１２  ホルダー
２１  収納室
２２  開口
２３  糸留部
２４  突条
【要約】
【課題】根掛かりを起こしにくく、海底に残されても、周辺の生物への悪影響を防ぐことができる釣り用錘を提供する。
【解決手段】ホルダー１２が、弾力性を有するゴム製で、鉄製の錘部材１１を収納した収納室２１と、釣り糸１を留める糸留部２３とを有する。ホルダー１２は、収納室２１に対して錘部材１１を出し入れするための開口２２を有する。ホルダー１２は、自身の弾力性により錘部材１１を収納室２１に保持するようになっている。また、ホルダー１２は、弾性力に抗する力を受けたとき、錘部材１１を開口２２から収納室２１の外部に排出可能に構成されている。
【選択図】図１【図１】
0004238280.tif 000002
【図２】
0004238280.tif 000003
【図３】
0004238280.tif 000004
【図４】
0004238280.tif 000005